(57)【要約】【課題】空気調和機運転中の圧縮機停止前の安定した運転時の運転情報を記憶することにより、故障発生時などに故障の原因解析などを容易に行えるようにすること。【解決手段】室温検出手段３と、吹き出し温度検出手段４と、外気温検出手段５と、室外熱交温度検出手段６と、圧縮機から吐出される冷媒の温度を検出する吐出温度検出手段７と、圧縮機運転周波数検出手段８と、圧縮機が運転状態から停止状態へ移行したことを検出する圧縮機停止検出手段９と、読み書き可能な不揮発性記憶手段１０からなり、空気調和機の運転開始後の初回の圧縮機運転から圧縮機停止に移行した時に、圧縮機停止直前の室温と吹き出し温度と外気温と室外熱交温度と吐出温度と圧縮機運転周波数のいずれか１つまたは複数の運転情報を前記不揮発性記憶手段１０に記憶するようにしたことにより、圧縮機停止前の安定した運転時の運転情報を記憶することができるようにする。【選択図】図１
2006029603.tif 000002
【特許請求の範囲】
【請求項１】
室温を検出する室温検出手段と、空気調和機の吹き出す風の温度を検出する吹き出し温度検出手段と、外気の温度を検出する外気温検出手段と、室外機の熱交換機の温度を検出する室外熱交温度検出手段と、圧縮機から吐出される冷媒の温度を検出する吐出温度検出手段と、圧縮機の運転周波数を検出する圧縮機運転周波数検出手段と、圧縮機が運転状態から停止状態へ移行したことを検出する圧縮機停止検出手段と、読み書き可能な不揮発性記憶手段とを備えた空気調和機において、空気調和機の運転開始後の初回の圧縮機運転から圧縮機停止に移行した時に、前記検出手段により検出した圧縮機停止直前の室温と吹き出し温度と外気温と室外熱交温度と吐出温度と圧縮機運転周波数のいずれか１つまたは複数の運転情報を前記不揮発性記憶手段に記憶するようにしたことを特徴とする空気調和機の制御装置。
【請求項２】
電源投入後初めての空気調和機運転時のみ、初回の圧縮機運転から圧縮機停止に移行した時に、圧縮機停止直前の運転情報を不揮発性記憶手段へ書き込みを実施するようにしたことを特徴とした請求項1に記載の空気調和機の制御装置。
【請求項３】
空気調和機の試運転時のみ、初回の圧縮機運転から圧縮機停止に移行した時に、圧縮機停止直前の運転情報を不揮発性記憶手段へ書き込みを実施するようにしたことを特徴とした請求項1に記載の空気調和機の制御装置。
【請求項４】
不揮発性記憶手段への運転情報の書き込みは、製品出荷後１回しか実施しないようにしたことを特徴とした請求項１〜３のいずれか１項に記載の空気調和機の制御装置。
【請求項５】
空気調和機の運転、停止や設定温度などを外部から制御する機器を接続するための端子を備えていることを特徴とした請求項１〜４のいずれか１項に記載の空気調和機の制御装置。
【請求項６】
吹き出し温度検出手段は、空気調和機の熱交換器の温度を検出する熱交温度検出手段であることを特徴とした請求項１〜５のいずれか１項に記載の空気調和機の制御装置。
【請求項７】
吐出温度検出手段は、圧縮機の温度を検出する圧縮機温度検出手段であることを特徴とした請求項１〜５のいずれか１項に記載の空気調和機の制御装置。
【請求項８】
圧縮機停止検出手段は、室外機に流れる運転電流の大きさで検出することを特徴とした請求項１〜５のいずれか１項に記載の空気調和機の制御装置。
【請求項９】
不揮発性記憶手段は、ＥＥＰＲＯＭであることを特徴とした請求項１〜８のいずれか１項に記載の空気調和機の制御装置。
【請求項１０】
不揮発性記憶手段に記憶された運転情報の読み出しは、空気調和機の運転、停止や設定温度などを外部から制御する機器を接続するための端子を用いて行えるようにしたことを特徴とした請求項５〜９のいずれか１項に記載の空気調和機の制御装置。
【請求項１１】
不揮発性記憶手段に記憶された運転情報の読み出しは、空気調和機の室内機と室外機の間の通信を行うための通信手段を用いて行えるようにしたことを特徴とした請求項１〜１０のいずれか１項に記載の空気調和機の制御装置。
【発明の詳細な説明】
【技術分野】
【０００１】
本発明は、空気調和機に具備した制御装置に関するものである。
【背景技術】
【０００２】
従来、この種の空気調和機の制御装置では、空気調和機の故障内容を把握するために空気調和機の異常を検知し、故障内容を不揮発性記憶手段に記憶して、空気調和機のリモコン等を用いてその内容を確認できるようにしている（例えば、特許文献１参照）。
【０００３】
図３は、特許文献１に記載された従来の空気調和機の構成を示すものである。図３に示すように、空気調和機本体に搭載された室内制御部３１に設けられた故障判定部３１ａとＥＥＰＲＯＭ３１ｂと信号判定部３１ｃと表示判定部３１ｄと、室内温度検出部３２と、配管温度検出部３３と、リモコン３４と、本体表示部３５から構成されている。
【特許文献１】特開平９−２９２１５２号公報
【発明の開示】
【発明が解決しようとする課題】
【０００４】
しかしながら、前記従来の構成では、空気調和機に異常が発生したときの状態しか記憶されないため、空気調和機が異常に至るまでの経緯や、使用開始時点では正常であったかどうかなどの状況を確認することができないという課題を有していた。
【０００５】
本発明は、前記従来の課題を解決するもので、空気調和機が運転中の運転情報を記憶することにより、故障発生時などに故障の原因解析などを容易に行えるようにした、空気調和機の制御装置を提供することを目的とする。
【課題を解決するための手段】
【０００６】
前記従来の課題を解決するために、本発明の空気調和機の制御装置は、空気調和機の運転開始後の初回の圧縮機運転から圧縮機停止に移行した時に、圧縮機停止直前に検出した室温と吹き出し温度と外気温と室外熱交温度と吐出温度と圧縮機運転周波数のいずれか１つまたは複数の運転情報を不揮発性記憶手段に記憶するようにしたものである。
【０００７】
これによって、空気調和機が異常に至るまでの経緯や、使用開始時点では正常であったかどうかなどの状況を確認することができるようになる。
【発明の効果】
【０００８】
本発明の空気調和機の制御装置は、空気調和機運転中の圧縮機停止前の安定した運転時の運転情報を記憶することができ不揮発性記憶手段に運転情報を記憶することで、その情報を用いて故障発生時などに故障の原因解析などを容易に行うことができ、故障解析や修理に要する工数や費用を削減することができる。また、運転情報の読み出しに専用端子などを使用するがないため、コストを削減することができる。
【発明を実施するための最良の形態】
【０００９】
第１の発明は、室温を検出する室温検出手段と、空気調和機の吹き出す風の温度を検出する吹き出し温度検出手段と、外気の温度を検出する外気温検出手段と、室外機の熱交換機の温度を検出する室外熱交温度検出手段と、圧縮機から吐出される冷媒の温度を検出する吐出温度検出手段と、圧縮機の運転周波数を検出する圧縮機運転周波数検出手段と、圧縮機が運転状態から停止状態へ移行したことを検出する圧縮機停止検出手段と、読み書き可能な不揮発性記憶手段とを備えた空気調和機において、空気調和機の運転開始後の初回
の圧縮機運転から圧縮機停止に移行した時に、前記検出手段により検出した圧縮機停止直前の室温と吹き出し温度と外気温と室外熱交温度と吐出温度と圧縮機運転周波数のいずれか１つまたは複数の運転情報を前記不揮発性記憶手段に記憶するようにしたことにより、圧縮機停止前の安定した運転時の運転情報を記憶することができ、その情報を用いて故障発生時などに故障の原因解析などを容易に行うことができる。
【００１０】
第２の発明は、電源投入後初めての空気調和機運転時のみ、初回の圧縮機運転から圧縮機停止に移行した時に、圧縮機停止直前の運転情報を不揮発性記憶手段へ書き込みを実施するようにしたことにより、電源投入直後の運転における圧縮機停止前の安定した運転時の運転情報を記憶することができ、その情報を用いて故障発生時などに故障の原因解析などを容易に行うことができる。
【００１１】
第３の発明は、空気調和機の試運転時のみ、初回の圧縮機運転から圧縮機停止に移行した時に、圧縮機停止直前の運転情報を不揮発性記憶手段へ書き込みを実施するようにしたことにより、設置後の試運転における圧縮機停止前の安定した運転時の運転情報を記憶することができ、その情報を用いて故障発生時などに故障の原因解析などを容易に行うことができる。
【００１２】
第４の発明は、特に、第１〜第３のいずれかの発明の不揮発性記憶手段への運転情報の書き込みは、製品出荷後１回しか実施しないようにしたことにより、空気調和機設置後の初回運転時の運転情報を記憶することができ、その情報を用いて故障発生時などに故障の原因解析などを容易に行うことができる。
【００１３】
第５の発明は、特に、第１〜第４の発明の空気調和機は、空気調和機の運転、停止や設定温度などを外部から制御する機器を接続するための端子を備えていることにより、外部から空気調和機を運転することができ、そのときの運転情報を記憶することができ、その情報を用いて故障発生時などに故障の原因解析などを容易に行うことができる。
【００１４】
第６の発明は、特に、第１〜第５の発明の吹き出し温度検出手段は、空気調和機の熱交換器の温度を検出する熱交温度検出手段であることにより、空気調和機の吹き出し温度を検出するための特別なセンサーなどを使用する必要がなくなる。
【００１５】
第７の発明は、特に、第１〜第５の発明の吐出温度検出手段は、圧縮機の温度を検出する圧縮機温度検出手段であることにより、冷媒の吐出温度を検出するための特別なセンサーなどを使用する必要がなくなる。
【００１６】
第８の発明は、特に、第１〜第５の発明の圧縮機停止検出手段は、室外機に流れる運転電流の大きさで検出することにより、圧縮機が完全に停止する直前の状態を容易に検出することができる。
【００１７】
第９の発明は、特に、第１〜第８の発明の不揮発性記憶手段は、ＥＥＰＲＯＭであることにより、容易に入手することができる。
【００１８】
第１０の発明は、特に、第５〜第９の発明の不揮発性記憶手段に記憶された運転情報の読み出しは、空気調和機の運転、停止や設定温度などを外部から制御する機器を接続するための端子を用いて行えるようにしたことにより、運転情報の読み出し専用に端子を用意する必要がなく、また部品を取り外す必要もなくなる。
【００１９】
第１１の発明は、特に、第１〜第１０の発明の不揮発性記憶手段に記憶された運転情報の読み出しは、空気調和機の室内機と室外機の間の通信を行うための通信手段を用いて行
えるようにしたことにより、運転情報の読み出し専用に端子を用意する必要がなく、また部品を取り外す必要もなくなる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機の制御装置の構成図を示すものである。
【００２２】
図１において、制御装置は室温を検出する室温検出手段３と、空気調和機の吹き出す風の温度を検出する吹き出し温度検出手段４と、外気の温度を検出する外気温検出手段５と、室外機の熱交換機の温度を検出する室外熱交温度検出手段６と、圧縮機から吐出される冷媒の温度を検出する吐出温度検出手段７と、圧縮機の運転周波数を検出する圧縮機運転周波数検出手段８と、圧縮機が運転状態から停止状態へ移行したことを検出する圧縮機停止検出手段９と、読み書き可能な不揮発性記憶手段１０とを備えた構成をしている。ここで、圧縮機運転周波数検出手段８、圧縮機停止検出手段９、不揮発性記憶手段１０は空気調和機の室内機あるいは室外機のどちらに具備されていてもかまわない。
【００２３】
以上のように構成された空気調和機の制御装置について、以下その動作、作用を説明する。
【００２４】
図２は、本発明の第１の実施の形態における動作を示すフローチャートである。
【００２５】
まず、リモコン１１等により空気調和機の運転を開始すると（ステップＳＴ１）、室温とリモコン１１等により設定された設定温度の情報に基づき圧縮機１２の運転を開始する（ステップＳＴ２）。圧縮機１２の運転が開始された時点から、圧縮機が運転中かどうかを常時監視し（ステップＳＴ３）、圧縮機１２が運転状態から停止状態に移行するのを検知した時点で（ステップＳＴ４）、圧縮機停止直前の室温や吹き出し温度や外気温、室外熱交温度、吐出温度、圧縮機運転周波数などの空気調和機の運転情報を検出し（ステップＳＴ５）、その情報をＥＥＰＲＯＭなどの不揮発メモリー１０に記憶する（ステップＳＴ６）。
【００２６】
以上のように、本実施の形態においては、圧縮機停止前の安定した運転時の運転情報を記憶することができ、その情報を用いて故障発生時などに故障の原因解析などを容易に行うことができ、故障解析や修理に要する工数や費用を削減することができる。
【００２７】
また、本実施の形態の空気調和機は、電源投入後初めての空気調和機運転時のみ、初回の圧縮機運転から圧縮機停止に移行した時に、圧縮機停止直前の運転情報を不揮発性記憶手段へ書き込みを実施するようにすることにより、電源投入直後の運転における圧縮機停止前の安定した運転時の運転情報を記憶することができ、その情報を用いて故障発生時などに故障の原因解析などを容易に行うことができる。
【００２８】
また、本実施の形態の空気調和機は、空気調和機の試運転時のみ、初回の圧縮機運転から圧縮機停止に移行した時に、圧縮機停止直前の運転情報を不揮発性記憶手段へ書き込みを実施するようにすることにより、設置後の試運転における圧縮機停止前の安定した運転時の運転情報を記憶することができ、その情報を用いて故障発生時などに故障の原因解析などを容易に行うことができる。また、空気調和機設置時に製品が正常であったかどうかの判定を行うことも可能となる。
【００２９】
また、本実施の形態の不揮発性記憶手段への運転情報の書き込みを、製品出荷後１回しか実施しないようにしたことにより、空気調和機設置後の初回運転時の運転情報を記憶することができ、その情報を用いて故障発生時などに故障の原因解析などを容易に行うことができる。また、空気調和機設置時に製品が正常であったかどうかの判定を行うことも可能となる。
【００３０】
また、本実施の形態の空気調和機は、空気調和機の運転、停止や設定温度などを外部から制御する機器を接続するための端子を備えていることにより、外部から空気調和機を運転することができ、そのときの運転情報を記憶することができ、その情報を用いて故障発生時などに故障の原因解析などを容易に行うことができる。
【００３１】
また、本実施の形態の吹き出し温度検出手段は、空気調和機の熱交換器の温度を検出する熱交温度検出手段であることにより、空気調和機の吹き出し温度を検出するための特別なセンサーなどを使用する必要がなくなるなり、コストを削減できる。
【００３２】
また、本実施の形態の吐出温度検出手段は、圧縮機の温度を検出する圧縮機温度検出手段であることにより、冷媒の吐出温度を検出するための特別なセンサーなどを使用する必要がなくなり、コストを削減できる。
【００３３】
また、本実施の形態の圧縮機停止検出手段は、室外機に流れる運転電流の大きさで検出することにより、圧縮機が完全に停止する直前の状態を容易に検出することができ、圧縮機停止直前の運転情報を精度良く検出することができる。
【００３４】
また、本実施の形態の不揮発性記憶手段は、ＥＥＰＲＯＭであることにより、容易に入手することができ、コストの削減や生産性の向上を図ることができる。
【００３５】
また、本実施の形態の不揮発性記憶手段に記憶された運転情報の読み出しは、空気調和機の運転、停止や設定温度などを外部から制御する機器を接続するための端子を用いて行えるようにしたことにより、運転情報の読み出し専用に端子を用意する必要がなく、また部品を取り外す必要もなくなるため、コストの削減や、故障解析や修理に要する工数や費用を削減することができる。
【００３６】
また、本実施の形態の不揮発性記憶手段に記憶された運転情報の読み出しは、空気調和機の室内機と室外機の間の通信を行うための通信手段を用いて行えるようにしたことにより、運転情報の読み出し専用に端子を用意する必要がなく、また部品を取り外す必要もなくなるため、コストの削減や、故障解析や修理に要する工数や費用を削減することができる。
【産業上の利用可能性】
【００３７】
以上のように、本発明にかかる空気調和機の制御装置は、空気調和機運転中の圧縮機停止前の安定した運転時の運転情報を記憶することができ、その情報を用いて故障発生時などに故障の原因解析などを容易に行うことができ、故障解析や修理に要する工数や費用を削減することが可能となるので、不揮発性記憶手段を搭載した電気機器等の用途にも適用できる。
【図面の簡単な説明】
【００３８】
【図１】本発明の実施の形態１における空気調和機の制御装置の構成図
【図２】本発明の実施の形態１における動作を示すフローチャート
【図３】従来の空気調和機の制御装置の構成図
【符号の説明】
【００３９】
３  室温検出手段
４  吹き出し温度検出手段
５  外気温検出手段
６  室外熱交温度検出手段
７  吐出温度検出手段
８  圧縮機運転周波数検出手段
９  圧縮機停止検出手段
１０  不揮発性記憶手段
【図１】
2006029603.tif 000003
【図２】
2006029603.tif 000004
【図３】
2006029603.tif 000005